(57)【特許請求の範囲】
【請求項１】
セラミック多層基板に半導体素子を含む能動部品と、抵抗、コンデンサ及びインダクタから選ばれる少なくとも一つの受動部品を載置し、前記セラミック多層基板の部品載置面をエポキシ樹脂により表面を平坦に封止した半導体装置の製造方法であって、
前記セラミック多層基板の片面を粘着剤付き樹脂フィルムに貼り付け、
所望する位置にキャビティーを有する樹脂封止金型に前記樹脂フィルムを載置し、
前記封止金型の一部領域で前記樹脂フィルムの一部領域を押圧して前記基板を位置規制し、
その後に前記キャビティー内にエポキシ樹脂を注入して封止する際、
前記セラミック多層基板を前記樹脂フィルムで金属製の枠体に所定の間隙をおいて貼り付け、さらに樹脂封止金型の上型に、キャビティーを取り囲むように連続した突起部分を形成し、前記金属枠体を下型に固定して上下金型を締めた際に、前記上型の突起部分が前記金属枠体と前記セラミック多層基板の間に入り込み、フィルムを押圧することを特徴とする半導体装置の製造方法。
【請求項２】
前記金属枠体に貼られた樹脂フィルムのセラミック多層基板部位の下側にゴム弾性を有するシートを敷き、樹脂封止する請求項１に記載の半導体装置の製造方法。
【請求項３】
ゴム弾性を有するシートがシリコーンゴムである請求項２に記載の半導体装置の製造方法。
【請求項４】
前記下金型内のゴムシートを敷く部分を、底部が平坦になった凹構造とする請求項２または３に記載の半導体装置の製造方法。
【請求項５】
前記ゴム弾性を有するシートと前記金属枠体の樹脂フィルムの間に、第２の樹脂シートを介して樹脂封止した請求項２〜４のいずれかに記載の半導体装置の製造方法。
【発明の詳細な説明】
【０００１】
【発明の属する技術分野】
本発明はセラミック多層基板に半導体素子およびその周辺回路が載置された半導体装置の製造方法に関し、特にパッケージを樹脂封止した半導体装置の製造方法に関する。
【０００２】
【従来の技術】
近年、コストダウンと組み立て工程の共通化を目的として、セラミック多層基板に半導体素子とチップ抵抗、チップコンデンサ、チップインダクタ等の周辺回路部品を実装し、エポキシ樹脂封止した後、ブレイキングまたはダイシングにより個片に分割する工法が増えてきた。一般的には印刷マスクを使って液状エポキシ樹脂を基板上に印刷する工法が多いが、印刷工法は工法が簡単である反面、この方法には下記の問題があった。
（１）製品の樹脂厚みのバラツキが大きい。
（２）樹脂印刷周辺部では樹脂垂れがおこるため、捨てしろが必要になる。
（３）樹脂中にボイドが残りやすい。
（４）チップ部品と基板間の隙間が埋まらない。
【０００３】
従来の半導体装置の樹脂封止例について、図７を用いて説明する。図７において、半導体素子１は、セラミック多層基板２の一方の面に搭載されており、他方の面にはチップ抵抗、チップコンデンサ、チップインダクタ等のチップ部品３が搭載されている。半導体素子１は金属ワイヤー４によって他の導通手段を介してスルホール（図示せず）からチップ部品３などに接続されている。半導体素子１はポッティング樹脂５によって封止されており、チップ部品もエポキシ樹脂６によって封止されている。セラミック多層基板２は、表面上に半導体素子やチップ部品と搭載するための部品実装用ランドと電極配線パターンを縦横に繰り返し並べたマトリックス基板になっている。半導体チップ１はセラミック多層基板２裏面側のキャビティー７にダイスボンドされ、キャビティー７内に形成された電極配線パターンと金属ワイヤー４で接続され、ポッティング樹脂５で封止されている。一方、セラミック多層基板２の表面にはチップ部品３が実装されている。印刷樹脂封止工法は、前記セラミック多層基板２に所望する形状の開口部を開けたメタルマスク１６をある間隙をあけて位置合わせし、スキージ１７で液状エポキシ樹脂６を塗布する。
【０００４】
また、図８には部品実装されたセラミック多層基板２をトランスファーモールドにより封止した例を示す。樹脂封止金型の上型９１と下型９２との間にチップ部品３が実装されたセラミック多層基板２を置き、基板２の周辺部を挟んで位置規制を行う。その後、上金型９１内にあるキャビティー１０にエポキシ樹脂を注入する。この工法は、金型を使用するため寸法バラツキが小さく、樹脂に圧力をかけて封止するためボイドが少なく、チップ部品３とセラミック多層基板２間の隙間も埋まりやすい等の特徴を有し、また量産性にも優れた工法である。
【０００５】
【発明が解決しようとする課題】
しかしながら、セラミック多層基板のトランスファーモールドにおいては、高温焼成の歪みのために基板が三次元的に反っており、その反り方も一様ではないこと、またこの基板の周辺部を、平面出しされた樹脂封止の上下金型で挟みこむため、基板周辺部に割れが発生し、時には割れは基板中央部まで到達することもあること等の理由により、樹脂封止が困難であった。
【０００６】
本発明は前記従来の問題を解決するため、半導体素子およびその周辺回路のチップ部品が実装されたセラミック多層基板を、トランスファーモールドにより基板が割れないように樹脂封止する半導体装置の製造方法を提供することを目的とする。
【０００７】
【課題を解決するための手段】
前記目的を達成するため、本発明の半導体装置の製造方法は、セラミック多層基板に半導体素子を含む能動部品と、抵抗、コンデンサ及びインダクタから選ばれる少なくとも一つの受動部品を載置し、前記セラミック多層基板の部品載置面をエポキシ樹脂により表面を平坦に封止した半導体装置の製造方法であって、前記セラミック多層基板の片面を粘着剤付き樹脂フィルムに貼り付け、所望する位置にキャビティーを有する樹脂封止金型に前記樹脂フィルムを載置し、前記封止金型の一部領域で前記樹脂フィルムの一部領域を押圧して前記基板を位置規制し、その後に前記キャビティー内にエポキシ樹脂を注入して封止する際、
前記セラミック多層基板を前記樹脂フィルムで金属製の枠体に所定の間隙をおいて貼り付け、さらに樹脂封止金型の上型に、キャビティーを取り囲むように連続した突起部分を形成し、前記金属枠体を下型に固定して上下金型を締めた際に、前記上型の突起部分が前記金属枠体と前記セラミック多層基板の間に入り込み、フィルムを押圧することを特徴とする。
【０００９】
【発明の実施の形態】
本発明によれば、エポキシ樹脂が基板裏面と平坦でかつ周囲を取り囲むように形成されているため、セラミック基板が外部から衝撃を受けた場合などの耐機械的強度が向上し、基板が割れにくくなる。工程中での基板割れ等が減ることで、歩留まりが向上する。また耐機械的強度の向上に伴い、基板の搬送時の梱包が簡略化できるため、輸送にかかるコストを安くすることもできる。さらに樹脂封止された基板をダイシングにより個片に分割する場合、ダイシングブレードが最初に基板周囲に形成されたエポキシ樹脂から切りはじめるため、最初にセラミック基板から切りはじめる場合と比べて、ブレードを破損する頻度が大幅に低減する。
【００１０】
本発明方法によれば、半導体素子およびチップ部品の載置されたセラミック基板を粘着剤付き付きの樹脂フィルムに貼り付けて位置規制するため、トランスファーモールドで樹脂封止する際に金型で基板を挟んで位置規制する必要性がなく、基板の割れをなくすことができる。また金型で、基板ではなく樹脂フィルムを挟むため、金型の上下の型締め圧力を上げることができ、そのため、キャビティー内へのエポキシ樹脂の注入圧力を高めることが可能になり、樹脂未充填箇所の皆無化、ボイドの低減、チップ部品とセラミック多層基板の隙間の埋まり性の向上など、成型面全体の向上を図ることができる。また、金型を使った樹脂封止工法のため、セラミック多層基板全面での樹脂厚みバラツキも印刷工法などと比べて小さく、さらに封止の金型面数を増やすことで同じタクトで生産性を数倍に増やすことが容易であるなど、生産性の面においても優れている。
【００１１】
本発明方法においては、前記セラミック多層基板を前記樹脂フィルムで金属製の枠体に所定の間隙をおいて貼り付け、さらに樹脂封止金型の上型に、キャビティーを取り囲むように連続した突起部分を形成し、前記金属枠体を下型に固定して上下金型を締めた際に、前記上型の突起部分が前記金属枠体と前記セラミック多層基板の間に入り込み、フィルムを押圧することが好ましい。これにより、樹脂封止の際に、上側金型の突起部分が金属枠体とセラミック多層基板の間隙にセラミック多層基板を取り囲むように入り込み、樹脂フィルムを押圧する。そのため、セラミック多層基板を押さえずに樹脂封止でき、さらに樹脂外形がセラミック多層基板の大きさよりわずかに大きくなるだけなので、前記した方法よりも樹脂量を削減することができる。セラミック多層基板を押さえないため、基板の割れも発生しない。樹脂注入圧力も高めることができ、成型性の向上が図られる。また、金属枠体とセラミック多層基板が樹脂シートを介して一体になっているため、封止金型への脱着が容易に行える。
【００１２】
また、前記金属枠体に貼られた樹脂フィルムのセラミック多層基板部位の下側にゴム弾性を有するシートを敷き、樹脂封止することが好ましい。これにより、焼成歪みによるセラミック多層基板の反り量が著しく大きい場合であっても、基板下面にシリコーン樹脂等のゴム状弾性を有するシートを敷くと、応力を吸収し、分散する効果により基板の割れは発生しなくなる。前記ゴム弾性を有するシートがシリコーンゴムであると、耐熱性が高く好ましい。
【００１３】
また、前記下金型内のゴムシートを敷く部分を、底部が平坦になった凹構造とすることが好ましい。これにより、ゴムシートが滑らないよう位置規制できる。また基板の反り程度によりゴムシートの厚みを変える場合にも、凹構造深さを調整することでキャビティー側には一切手を加えず、エポキシ樹脂厚みの均一な封止をすることができる。
【００１４】
また、前記ゴムシートと前記金属枠体の樹脂フィルムの間に、第２の樹脂シートを介して樹脂封止したことが好ましい。これにより、樹脂封止の際に発生する樹脂バリが直接ゴムシートに付着するのを防ぐことができる。ゴムシートは表面に細かい凹凸があるためゴミが付着しやすく、また一回付着したゴミはエアーブロー程度では除去できない。ゴムシート上にゴミが付着したままで樹脂封止すると、セラミック多層基板とゴムシートの間に硬度の違う異物を挟んだままで圧力がかかることになり、新たな基板の割れの原因にもなりかねない。しかし、樹脂シートの表面は滑らかなため、ゴムシート上に樹脂シートを敷くことにより、ゴミをエアーブロー等で除去でき、ゴミを挟むことによる基板割れの可能性をなくすことができる。
【００１５】
（第１の実施形態）
本発明の第１の実施形態を図１により説明する。図１は半導体装置の概略断面図である。この半導体装置は、アルミナセラミックの多層基板２に、半導体素子およびその周辺回路となる抵抗、コンデンサ、インダクタ等のチップ部品３を実装し、トランスファーモールドによりセラミック基板の片面を平坦に樹脂封止したものである。
【００１６】
アルミナセラミック多層基板２は、基板裏面に半導体素子１を実装するためのキャビティと外部接続用の電極が配置され、表面には周辺回路を形成するチップ部品の配線パターンが形成され、個々の配線パターンとキャビティー、電極を縦横に繰り返し並べたマトリックス基板を形成している。アルミナセラミック多層基板２の外形は、縦７０ｍｍ、横７０ｍｍ、厚み０．７ｍｍで、その中に１５ｍｍ角の個片が縦４列横４列並んでいる。その１５ｍｍ角の個片毎に、裏面にはキャビティと外部接続用の電極、表面にはチップ部品のパターン配線が形成されている。半導体素子１はキャビティー７内にダイスボンドされ、キャビティ７内にあらかじめ形成された配線パターンと金属ワイヤー４で接続され、エポキシポッティング樹脂５で封止されている。基板の表面には抵抗、コンデンサ等のチップ部品３が実装されている。この基板を、部品実装面側は表面が平坦になるよう、電極面側は、電極面と平坦、かつ基板周囲を取り囲むようにエポキシ樹脂６で封止されている。樹脂封止後の外形サイズは、縦７４ｍｍ、横７４ｍｍ、厚み１．６ｍｍで、基板の周囲全体が幅２ｍｍの樹脂で囲まれた形状を有する。
【００１７】
エポキシ樹脂６が基板周囲をはちまきの様に取り囲む形状をしているため、基板周囲が露出した形状と比べて、外部から衝撃を受けた場合などの耐機械的強度が向上し、基板が割れにくくなっている。組み立て工程中での取り扱いも容易になり、誤って落下して基板を割る等の問題も減少する。また樹脂封止後に基板を輸送する場合、基板の搬送時の梱包が簡略化できるため、輸送にかかるコストを安くすることもできる。
【００１８】
前記アルミナセラミック多層基板２は、１枚の基板に縦４列、横４列の１６個の個片が内蔵されており、通常はダイシングにより個片に分割する。前記樹脂封止された基板を切る場合、ダイシングブレードが最初に基板周囲に形成されたエポキシ樹脂から切りはじめるため、緩衝作用により、最初にセラミック基板から切りはじめる場合と比べて、ブレードを破損する頻度が大幅に低減する。
【００１９】
（第２の実施形態）
本発明の第２の実施形態を図２により説明する。図２は半導体装置の樹脂封止工程の概略図であり、８は粘着剤付き樹脂フィルム、１０は上側金型のキャビティーである。この半導体装置は、前記第１の実施の形態と同じく、半導体素子と周辺回路のチップ部品をセラミック多層基板上に実装し、トランスファーモールドでセラミック基板の片面を平坦に樹脂封止したものである。基板および部品の説明は前記第１の実施形態と同じである。
【００２０】
樹脂封止の金型は、上型に樹脂を注入するためのキャビティが掘られており、下型は樹脂シートの位置規制をする金属ピンが４本あり、あとは平坦な構造を有する。キャビティーの大きさは縦７４ｍｍ、横７４ｍｍ、深さは０．９ｍｍである。
【００２１】
製造方法として、まず基板の樹脂封止しない面、すなわち基板裏面側に粘着剤付き樹脂フィルム８を所定の位置に貼り付け、基板が動かないように位置規制をする。粘着剤付き樹脂シート８は、一例として基材ＰＥＴ（ポリエチレンテレフタレート）フィルムの上に粘着剤を塗布したもので、１５０ｍｍ角、厚みは４０μｍを用いている。樹脂シート四隅には金型内での位置規制を行うための穴が開けられている。樹脂シートに粘着剤付きのポリイミドシートを用いても同様の効果が得られる。基板を貼る位置は、封止の上側金型９１と下側金型９２を締めた時に基板を挟まないよう、上金型９１，９２に掘られたキャビティー１０の内側に入っていなければならない。また樹脂フィルム８に基板を貼る際に、基板裏面と樹脂フィルム８の間に空気が残らないよう、樹脂フィルム８に張力をかけ、空気を押し出しながら行うとよい。
【００２２】
次に、前記樹脂フィルム８の四隅の穴を封止下金型９１，９２の金属ピンに通して位置規制を行うのが好ましい。金属ピンに樹脂フィルムを通す際、フィルムにしわが入らないようにフィルムを引っ張りながら取り付ける。
【００２３】
その後、封止金型を締めエポキシ樹脂封止を行う。金型で基板を挟まないため型締め圧力を上げることができ、一例として３０トンで型締めしている。金型設定温度は１７０℃、樹脂注入圧力は７ＭＰａである。
【００２４】
この例によれば、金型で基板ではなく樹脂フィルムを挟んで位置規制する方法のため、基板の割れをなくすことができる。また型締め圧力を上げられるため、それに伴って樹脂注入圧力を上げることが可能になり、樹脂未充填箇所をなくし、ボイドの低減、および印刷封止工法では困難であったチップ部品と基板間の隙間の埋まり性が向上するなど、成型面全体の歩留まり、品質向上を図ることができる。
【００２５】
（第３の実施形態）
本発明の第３の実施形態を図３により説明する。図３は半導体装置の樹脂封止工程の概略図であり、８は粘着剤付き樹脂フィルム、１０は上側金型のキャビティー、１１は上側金型の突起部分、１５は金属製の枠体である。この半導体装置は、前記第１の実施の形態と同じく、半導体素子と周辺回路のチップ部品をセラミック多層基板上に実装し、トランスファーモールドでセラミック基板の片面を平坦に樹脂封止したものである。基板および部品の説明は前記第１の実施の形態と同じである。樹脂封止の金型構造も前記第２の実施の形態と同じである。
【００２６】
製造方法として、まず基板と金属製の枠体を所定の間隙をあけて設置し、粘着剤付き樹脂フィルム８で両方を貼り付ける。金属枠は１５０ｍｍ角のステンレス製で中央部に基板の入る開口部が設けられている。金属枠の幅は３０ｍｍ、板厚１ｍｍ、中央には９０ｍｍ角の開口部がある。樹脂フィルムは第１の実施形態と同じである。樹脂フィルムの貼り付けは治具を使って行い、樹脂フィルムにしわができないよう張力をかけた状態で行う。
【００２７】
次に、基板が貼り付けられた金属枠体１５を下側金型に固定した後、上下金型９１，９２を締める。
【００２８】
上側金型のキャビティー部分には、型締め時に金属枠体とセラミック多層基板の間隙に入り込み、基板を取り囲むような構造の突起部分１１が形成されている。型締め時には前記突起部分１１が樹脂フィルムを押さえ込み基板を位置規制する。この後、キャビティ１０にエポキシ樹脂を注入してエポキシ樹脂封止を行う。型締め圧力、金型温度、樹脂注入圧力等の成型条件は第２の実施の形態と同じである。
【００２９】
樹脂封止の際に、上側金型の突起部分が、直接樹脂フィルムを押圧して基板の位置規制を行うため、樹脂封止の際の基板の割れがなくなる。また第３の実施の形態で特徴的なのは、金属枠体１５とセラミック多層基板が樹脂シート８を介して一体になっているため、封止金型への脱着が簡単に行えることである。この方式によれば、一度に複数の基板を同時に樹脂封止することが可能となり、作業性が大幅に向上する。さらに樹脂外形がセラミック多層基板の大きさよりわずかに大きくなるだけなので、第２の実施の形態よりも樹脂外形が小さくなり、樹脂使用量を削減することができる。樹脂注入圧力も高めることができ、樹脂未充填箇所の皆無化、ボイドの低減、および印刷封止工法では困難であったチップ部品と基板間の隙間の埋まり性が向上するなど、成型面全体の歩留まり、品質向上を図ることができる。
【００３０】
（第４の実施形態）
本発明の第４の実施形態を図４により説明する。図４は半導体装置の樹脂封止工程の概略図であり、８は粘着剤付き樹脂フィルム、１０は上側金型のキャビティー、１１は上側金型の突起部分、１２はゴムシート、１５は金属製の枠体である。この半導体装置は、前記第１の実施の形態と同じく、半導体素子と周辺回路のチップ部品をセラミック多層基板上に実装し、トランスファーモールドでセラミック基板の片面を平坦に樹脂封止したものである。基板および部品の説明は前記第１の実施の形態と同じである。樹脂封止の金型構造も前記第２の実施の形態と同じである。
【００３１】
製造方法として、まず基板と金属製の枠体１５を所定の間隙をあけて設置し、粘着剤付き樹脂フィルム８で両方を貼り付ける。金属枠１５および樹脂フィルム８は第３の実施の形態と同じである。樹脂フィルムの貼り付けは治具を使って行い、樹脂フィルムにしわができないよう張力をかけた状態で行う。
【００３２】
次に、封止の下側金型の基板が固定される部位に、基板と同一サイズ、または一回り大きめのシリコーン樹脂等のゴム弾性を有するシート１２を敷き、その上に基板が貼り付けられた金属枠体を固定する。ゴムシート１２は金型の高温と樹脂注入の高圧に耐えられる特性が必要であり、シリコーン樹脂のシートを用いている。シリコーン樹脂シートは７５ｍｍ角で厚み０．５ｍｍである。
【００３３】
基本的には第２の実施形態、第３実施の形態で基板を割ることなしにエポキシ樹脂封止封止が可能である。しかし焼成歪みによる基板の反りが０．５ｍｍを越える大きい場合、または反りの変化が部分的に急変する端折れの様な場合には、第４の実施の形態のように基板下面にゴムシート１２を敷くことにより、樹脂注入時の基板にかかる圧力をゴムシートが吸収、分散、緩和する効果が発生し、基板を割ることなく封止することができる。
【００３４】
（第５の実施形態）
本発明の第５の実施形態を図５により説明する。図５は半導体装置の樹脂封止工程の概略図であり、１１は上側金型の突起部分、１２はゴムシート、１３は下側金型の凹部、１５は金属製の枠体である。この半導体装置は、前記第４の実施の変形形態で、封止の下側金型のゴムシート１２を敷く部分をへこませて段差を設け、低部を平坦にして中にゴムシート１２が入る構造にしたものである。段差の大きさはゴムシートよりも一回り大きく、深さはゴムシートの半分にしている。ゴムシートは７５ｍｍ角、厚み０．５ｍｍであり、段差は７７ｍｍ□、深さ０．２５ｍｍにしている。この構造はゴムシートが滑らないよう位置規制できるとともに、基板の反り程度によりゴムシートの厚みを変える場合にも、段差を調整することで上側金型のキャビティーには一切手を加えることなく、エポキシ樹脂厚みの均一な封止をすることができる。
【００３５】
（第６の実施形態）
本発明の第６の実施の形態を図６により説明する。図６は半導体装置の樹脂封止工程の概略図であり、８は粘着剤付き樹脂フィルム、１０は上側金型のキャビティー、１１は上側金型の突起部分、１２はゴムシート、１３は下側金型の凹部、１４は第２の樹脂フィルム、１５は金属製の枠体である。この半導体装置は、前記第５の実施の変形形態で、封止の下側金型上に敷かれたゴムシート１２と金属枠体１５の樹脂フィルム８の間に、第２の樹脂フィルム１４を挟んで樹脂封止を行ったものである。第２の樹脂フィルムは表面が非粘着性のＰＥＴ（ポリエチレンテレフタレート）で、大きさは１５０ｍｍ角、フィルム厚みは２５μｍである。
【００３６】
前記ＰＥＴフィルムを２枚の金属枠で挟み込んで固定し、下側金型のゴムシートを覆うように載せて固定する。金属枠は１５０ｍｍ角のステンレス製で中央部にゴムシートの入る開口部が設けられている。金属枠の幅は３０ｍｍ、板厚は０．５ｍｍの２枚重ねで１ｍｍ、中央には９０ｍｍ角の開口部がある。さらにこの上に樹脂フィルムで基板を固定した金属枠体を載せて固定し、上下金型９１，９２を型締め後にエポキシ樹脂封止する。
【００３７】
前記製造方法によれば、シリコーン樹脂等のゴムシートの上にＰＥＴフィルムトを敷くことにより、樹脂封止の際に発生する樹脂バリが直接ゴムシートに付着するのを防ぐことができる。ゴムシートは表面に細かい凹凸があるためゴミが付着しやすく、また一回付着したゴミはエアーブロー程度では除去できない。ゴムシート上にゴミが付着したままで樹脂封止すると、基板とゴムシートの間に硬度の違う異物を挟んだままで圧力がかかることになり、新たな基板の割れの原因にもなりかねないが、樹脂シートの表面は滑らかなため、ゴムシート上に樹脂シートを敷くことにより、ゴミをエアーブロー等で除去でき、ゴミを挟むことによる基板割れの可能性をなくすことができる。
【００３８】
【発明の効果】
以上説明したとおり、本発明によれば、エポキシ樹脂が基板裏面と平坦でかつ周囲を取り囲むように形成されているため、セラミック基板が外部から衝撃を受けた場合などの耐機械的強度が向上し、基板が割れにくくなる。工程中での基板割れ等が減ることで、歩留まりが向上する。また耐機械的強度の向上に伴い、基板の搬送時の梱包が簡略化できるため、輸送にかかるコストを安くすることもできる。さらに樹脂封止された基板をダイシングにより個片に分割する場合、ダイシングブレードが最初に基板周囲に形成されたエポキシ樹脂から切りはじめるため、最初にセラミック基板から切りはじめる場合と比べて、ブレードを破損する頻度が大幅に低減する。
【００３９】
また本発明方法によれば、半導体素子およびチップ部品の載置されたセラミック基板を粘着剤付き付きの樹脂フィルムに貼り付けて位置規制するため、トランスファーモールドで樹脂封止する際に金型で基板を挟んで位置規制する必要性がなく、基板の割れをなくすことができる。また金型で、基板ではなく樹脂フィルムを挟むため、金型の上下の型締め圧力を上げることができ、そのため、キャビティー内へのエポキシ樹脂の注入圧力を高めることが可能になり、樹脂未充填箇所の皆無化、ボイドの低減、チップ部品とセラミック多層基板の隙間の埋まり性の向上など、成型面全体の向上を図ることができる。また、金型を使った樹脂封止工法のため、セラミック多層基板全面での樹脂厚みバラツキも印刷工法などと比べて小さく、さらに封止の金型面数を増やすことで同じタクトで生産性を数倍に増やすことが容易であるなど、生産性向上効果がある。
【図面の簡単な説明】
【図１】本発明の第１の実施形態における半導体装置の断面図。
【図２】本発明の第２の実施形態における半導体装置の製造方法を示す断面図。
【図３】本発明の第３の実施形態における半導体装置の製造方法を示す断面図。
【図４】本発明の第４の実施形態における半導体装置の製造方法を示す断面図。
【図５】本発明の第５の実施形態における半導体装置の製造方法を示す断面図。
【図６】本発明の第６の実施形態における半導体装置の製造方法を示す断面図。
【図７】従来の半導体装置の製造方法を示す断面図。
【図８】従来の半導体装置の製造方法を示す断面図。
【符号の説明】
１  半導体素子
２  セラミック多層基板
３  チップ部品
４  金属ワイヤー
５  ポッティング樹脂
６  エポキシ樹脂
７  キャビティー
８  粘着剤付き樹脂フィルム
１０  上側金型のキャビティー
１１  上側金型の突起部分
１２  ゴムシート
１３  下側金型の凹部
１４  第２の樹脂フィルム
１５  金属製の枠体
１６  メタルマスク
９１  樹脂封止上型（上側金型）
９２  樹脂封止下型（下側金型）
【図１】
0003560585.tif 000002
【図２】
0003560585.tif 000003
【図３】
0003560585.tif 000004
【図４】
0003560585.tif 000005
【図５】
0003560585.tif 000006
【図６】
0003560585.tif 000007
【図７】
0003560585.tif 000008
【図８】
0003560585.tif 000009